(57)【要約】【課題】横寝向きでの股漏れが起き難い吸収構造体およびおむつを提供することを課題とする。【解決手段】吸収構造体３０Ａのトップシート部１０における股下部３０の中央に第１液透過性領域１を形成し、この第１液透過性領域１の両側に第１液不透過性領域を２ａ、２ｂ形成し、さらに、トップシート部の幅方向の側縁部に第２液不透過性領域３ａ、３ｂを形成して、前記第１液不透過性領域それぞれの幅方向における外側縁部をバックシート部１５に帯状に接合することによって第１防漏壁２Ａ、２Ｂを形成し、前記第２液不透過性領域の各々を前記バックシート部から延出させることによって第２防漏壁３Ａ、３Ｂを形成する。【選択図】　　　図１
2004049764.tif 000002
【特許請求の範囲】
【請求項１】
液透過性を有するトップシート部と、液不透過性のバックシート部と、前記トップシート部と前記バックシート部との間に介在する液保持性の吸収体とを具備し、使用時に前記トップシート部が使用者の下腹部から股間を経て臀部に亘る領域に当てられる吸収構造体であって、
前記トップシート部は、使用時に使用者の股間に当てられる股下部の中央に位置する第１液透過性領域と、該第１液透過性領域によって互いに離隔されつつ該トップシート部の長手方向と略平行な方向に延在する１対の第１液不透過性領域と、該トップシート部の幅方向の両側縁部に分かれて配置されて前記長手方向と略平行な方向に延在する１対の第２液不透過性領域と、前記１対の第１液不透過性領域と前記１対の第２液不透過性領域との間に介在して前記長手方向と略平行な方向に延在する第２液透過性領域とを有し、
前記１対の第１液不透過性領域それぞれの一部が、少なくとも前記股下部において前記バックシート部上に帯状に接合されて、前記長手方向に延在しつつ前記第１液透過性領域側に張り出した第１防漏壁を形成しており、
前記１対の第２液不透過性領域が前記バックシート部から延出して第２防漏壁を形成している吸収構造体。
【請求項２】
前記１対の第２液不透過領域の一方と該第２液不透過性領域に隣接する第２液透過性領域、および、前記１対の第２液不透過領域の他方と該第２液不透過性領域に隣接する第２液透過性領域が、１つのシート材により形成されている請求項１に記載の吸収構造体。
【請求項３】
使用時に、前記第２液透過性領域の一方を使用者の一方の大腿部に当て、前記第２液透過性領域の他方を使用者の他方の大腿部に当てることができる幅を有する請求項１または請求項２に記載の吸収構造体。
【請求項４】
前記第１液不透過性領域と前記バックシート部との接合箇所よりも外側に、前記第２液透過性領域下の吸収体を前記長手方向と略平行な方向に収縮させることができる弾性部材が配されている請求項１〜３のいずれかに記載の吸収構造体。
【請求項５】
請求項１〜４のいずれかに記載の吸収構造体を具備し、着用時に、前記吸収構造体の前記トップシート部が着用者の少なくとも下腹部から股間を経て臀部に亘る領域に当てられるおむつ。
【発明の詳細な説明】
【０００１】
【発明の属する技術分野】
本発明は、使用時に使用者の下腹部から股間を経て臀部に亘る領域に当てられる吸収構造体、および当該吸収構造体を備えたおむつに関する。
【０００２】
【従来の技術】
尿等の排泄物を吸収するために使用者の下腹部から股間を経て臀部に亘る領域に当てられる吸収構造体は、全体としては十分な吸収能を有しているが、着用者が横寝向きのときには特に、長手方向の端部すなわち使用者の下腹部または臀部に当てられている領域が飽和状態になる前に、幅方向の端部すなわち使用者の鼠けい部に面する領域が飽和状態になって、股漏れ（以下、「横寝向きでの股漏れ」という。）を起こすことがある。
【０００３】
横寝向きでの股漏れを防止するための一法として、特開平１−２８５２６６号公報では、吸収構造体（吸収性物品）の幅方向に親水性材と疎水性材とを交互に配することが提案されている。このように親水性材と疎水性材とを配すると、吸収構造体の幅方向への排泄物の拡散が抑制される一方で吸収構造体の長手方向への排泄物の拡散が促進されることから、横寝向きでの股漏れが防止される。
【０００４】
【発明が解決しようとする課題】
しかしながら、例えば使用者が横向き寝をしている状態下では、吸収構造体の幅方向へ排泄物が急速に拡散することから、上述のように親水性材と疎水性材とを交互に配したとしても、横寝向きでの股漏れが起こることがある。
【０００５】
そこで、本発明は、横寝向きでの股漏れが起き難い吸収構造体およびおむつを提供することを課題とする。
【０００６】
【課題を解決するための手段】
本発明者らは、吸収構造体内に特定の防漏壁を設けることによって、上記の課題を解決した。
【０００７】
以下、本発明について説明する。なお、本発明の理解を容易にするために添付図面の参照符号を括弧書きにて付記するが、それにより本発明が図示の形態に限定されるものではない。
【０００８】
本発明の第１の態様では、液透過性を有するトップシート部（１０）と、液不透過性のバックシート部（１５）と、前記トップシート部と前記バックシート部との間に介在する液保持性の吸収体（２０）とを具備し、使用時に前記トップシート部が使用者の下腹部から股間を経て臀部に亘る領域に当てられる吸収構造体（３０Ａ）であって、前記トップシート部は、使用時に使用者の股間に当てられる股下部（３０）の中央に位置する第１液透過性領域（１）と、該第１液透過性領域によって互いに離隔されつつ該トップシート部の長手方向と略平行な方向に延在する１対の第１液不透過性領域（２ａ、２ｂ）と、該トップシート部の幅方向の両側縁部に分かれて配置されて前記長手方向と略平行な方向に延在する１対の第２液不透過性領域（３ａ、３ｂ）と、前記１対の第１液不透過性領域と前記１対の第２液不透過性領域との間に介在して前記長手方向と略平行な方向に延在する第２液透過性領域（４ａ、４ｂ）とを有し、前記１対の第１液不透過性領域それぞれの一部が、少なくとも前記股下部において前記バックシート部上に帯状に接合されて、前記長手方向に延在しつつ前記第１液透過性領域側に張り出した第１防漏壁（２Ａ、２Ｂ）を形成しており、前記１対の第２液不透過性領域が前記バックシート部から延出して第２防漏壁（３Ａ、３Ｂ）を形成している吸収構造体を提供して、上記の課題を解決する。
【０００９】
また、本発明の第２の態様では、上記本発明の吸収構造体（３０Ｋ）を具備し、着用時に、前記吸収構造体の前記トップシート部が着用者の少なくとも下腹部から股間を経て臀部に亘る領域に当てられるおむつ（７０）を提供して、上記の課題を解決する。
【００１０】
吸収構造体のトップシート部に上述の第１液不透過性領域を形成すると、当該第１液不透過領域の一部をバックシート部上に帯状に接合することによって、吸収構造体の長手方向に延在する第１防漏壁であって、第１液透過性領域に上端が張り出した上記の第１防漏壁を形成することが可能になる。また、トップシート部に上述の第２液不透過性領域を形成して、当該第２液不透過性領域をバックシート部から第２駅透過性領域側へ延出させることによって、吸収構造体の長手方向に延在する第２防漏壁を当該吸収構造体の幅方向側縁に形成することが可能になる。
【００１１】
これらの第１防漏壁および第２防漏壁を形成することにより、第１液透過性領域下の吸収体による排泄物の吸収効率、および第２液透過性領域下の吸収体による排泄物の吸収効率を高めることができる。その結果として、横寝向きでの股漏れの発生が抑制される。
【００１２】
この吸収構造体をおむつの吸収構造体として用いることにより、横寝向きでの股漏れを抑制することが可能になる。
【００１３】
本発明のこのような作用および利得は、次に説明する実施の形態から明らかにされる。
【００１４】
【発明の実施の形態】
以下、本発明の吸収構造体に係る実施形態と、おむつに係る実施形態とをこの順番で例示して、本発明の実施の形態について詳述する。
１．吸収構造体に係る実施形態
＜第１実施形態＞
図１（Ａ）は、第１実施形態の吸収構造体３０Ａをトップシート部１０側から見たときの概略平面図であり、図１（Ｂ）は、図１（Ａ）に示したＩ−Ｉ線に沿った断面の概略図である。
【００１５】
図１（Ａ）に示すように、吸収構造体３０Ａのトップシート部１０は、股下部３０の中央に第１液透過性領域１を有しており、その外側には、当該第１液透過性領域１によって互いに離隔されつつトップシート部１０の長手方向ＤＬと略平行な方向に延在する１対の第１液不透過性領域２ａ、２ｂが形成されている。
【００１６】
ここで、本発明でいう「股下部」とは、使用時に使用者の股間に当てられる領域を意味し、当該股下部は、概ね、トップシート部をその長手方向に四等分したときの中央の２つの領域に亘っている。
【００１７】
トップシート部１０の幅方向ＤＷの両側縁部には、１対の第２液不透過性領域３ａ、３ｂが一方の縁部と他方の縁部とに分かれて配置されて、それぞれ長手方向ＤＬと略平行な方向に延在している。また、１対の第１液不透過性領域２ａ、２ｂと１対の第２液不透過性領域３ａ、３ｂとの間には、第２液透過性領域４ａまたは第２液透過性領域４ｂが介在している。
【００１８】
なお、図１（Ａ）においては、第１液不透過性領域２ａ、２ｂおよび第２液不透過性領域３ａ、３ｂを他から区別し易くするために、これらの領域にスマッジングを付してある。
【００１９】
図示の例では、第１液不透過性領域２ａ、２ｂおよび第２液不透過性領域３ａ、３ｂが、それぞれ、トップシート部１０の長手方向ＤＬの一方の端から他方の端に亘って形成されているが、これらの液不透過性領域２ａ、２ｂ、３ａ、３ｂは、少なくとも股下部３０に形成されていることが好ましい。
【００２０】
これらの第１液不透過性領域２ａ、２ｂおよび第２液不透過性領域３ａ、３ｂの材料としては、例えば使い捨ておむつに通常使用される液不透過性または撥水性のシートを用いることができる。例えば、熱可塑性樹脂を溶融紡糸して得られる未延伸糸、または当該未延伸糸を延伸して得られる延伸糸に必要に応じてクリンピング処理を施し、その後に切断して得た短繊維同士を熱、または接着剤等によって点接着するか、または、水流、針等で互いに交絡させてなる不織布、すなわち、湿式法、乾式法、スパーンレース法、またはスパンボンド法によって形成された不織布を用いることができる。また、メルトブローンまたはスパンボンド成形法によって直接成形される不織布を用いることもできる。
【００２１】
上記の未延伸糸または延伸糸としては、ポリエチレン（ＰＥ）、ポリプロピレン（ＰＰ）、ポリエチレンテレフタレート（ＰＥＴ）等から形成された単一繊維または複合繊維を用いることができる。前記複合繊維としては、鞘芯型複合繊維や並列型複合繊維、あるいは、熱または外力によって複数の繊維に分割する分割性複合繊維を用いることができる。
【００２２】
鞘芯型複合繊維としては、芯成分と鞘成分との組み合わせがＰＥＴ／ＰＥ、ＰＰ／ＰＥ、またはＰＥＴ／ＰＰ（いずれも、前者が芯成分、後者が鞘成分を表す。）であるポリオレフィン系鞘芯型複合繊維が挙げられる。
【００２３】
複合繊維からなる不織布の中でも、高弾性樹脂を芯に用い、低弾性および／または低融点樹脂を鞘に用いた鞘芯型複合繊維からなる不織布は、風合いおよび弾力性に優れ、また、生産性、安全性が高く、コストが低いことから、特に好適である。
【００２４】
一方、第１液透過性領域１および第２液透過性領域４ａ、４ｂの材料としては、液透過性のシート、例えば天然繊維からなる織布、合成繊維からなる不織布、または、熱可塑性樹脂からなる開口フィルムを用いることができる。乾燥時および湿潤時の肌触り、並びに経済性を勘案すると、合成繊維からなる不織布を用いることが好ましい。
【００２５】
当該合成繊維からなる不織布としては、吸収性物品の表面材として従来より使用されている湿式または乾式の合成繊維不織布、具体的にはポリエチレン繊維、ポリプロピレン繊維、ポリエステル繊維、ポリエチレン−ポリプロピレン複合繊維、ポリエチレン−ポリエステル複合繊維、ポリビニルアルコール繊維、レーヨン等の合成繊維を用いて製造される湿式または乾式不織布が挙げられる。
【００２６】
排泄物の吸収性を勘案すると、第１液透過性領域１および第２液透過性領域４ａ、４ｂの材料は、親水化処理されているものが好ましい。親水化処理は、例えば、当業界で通常用いられる界面活性剤を塗布することによって行うことができる。
【００２７】
隣り合う液透過性領域と液不透過性領域とは、互いに重なる領域を有し、この領域において互いに接合されている。
【００２８】
トップシート部１０の下方には、図１（Ａ）中に一点鎖線で示した２つの領域（以下、これらの領域を各々「第１中間領域」という。）２２ａ、２２ｂを除いて、吸収体２０が分布している。
【００２９】
この吸収体２０としては、例えば、解繊パルプを主材として用い、これと吸水性ポリマーとを併用したものや、熱可塑性樹脂とセルロース繊維と吸水性ポリマーとの混合物等が用いられる。必要に応じて、これらの材料が、例えば一般的な吸収紙や、親水処理された低坪量の不織布（スパンボンド不織布、ＳＭＳ（スパンボンド−メルトブローン−スパンボンド）不織布、ＳＭＭＳ（スパンボンド−メルトブローン−メルトブローン−スパンボンド）不織布等）等によって上下から包まれる。
【００３０】
上記の第１中間領域２２ａ、２２ｂは、少なくとも股下部３０において第１液透過性領域１の幅方向外側に形成されて、長手方向ＤＬに略平行な方向に延在する。これら第１中間領域２２ａ、２２ｂそれぞれの幅は、少なくとも股下部３０において、概ね５〜１００ｍｍの範囲内、好ましくは概ね５〜３０ｍｍの範囲内で適宜選定可能である。
【００３１】
第１中間領域２２ａ、２２ｂの幅を上記の範囲内で選定することにより、第２液透過性領域４ａ、４ｂの下方に配置されている吸収体の長手方向全体へ、排泄物を浸透させ易くなる。また、第２液透過性領域４ａ、４ｂが使用者の大腿部に当たるようにして吸収構造体３０Ａを使用する場合には、当該第２液透過性領域４ａ、４ｂを所望方向に屈曲させることが容易になる。
【００３２】
少なくとも股下部３０においては、前述した第１液不透過性領域２ａまたは第１液不透過性領域２ｂの幅方向外側の縁部が、平面視上、上述した第１中間領域２２ａ、２２ｂに懸かっている。
【００３３】
第１中間領域２２ａ、２２ｂ間の距離は、これらの領域間に平面視上介在する第１液透過性領域１の幅が、目的とする吸収構造体が想定している介護状態や着用者の活動レベル、あるいは適用体重等に応じて、概ね５０〜２５０ｍｍの範囲内、好ましくは概ね１００〜２００ｍｍの範囲内となるように適宜選定される。
【００３４】
また、第２液透過性領域４ａのうちで、少なくとも股下部３０において第１中間領域２２ａよりも平面視上外側に位置する領域の幅は、目的とする吸収構造体が想定している介護状態や着用者の活動レベル、あるいは適用体重等に応じて、概ね１０〜１００ｍｍの範囲内、好ましくは概ね２０〜６０ｍｍの範囲内となるように、適宜選定される。同様のことが、第２液透過性領域４ｂのうちで、少なくとも股下部３０においては第１中間領域２２ｂよりも平面視上外側に位置する領域の幅についてもいえる。
【００３５】
図１（Ｂ）に示すように、トップシート部１０の下方には液不透過性のバックシート部１５が配されている。
【００３６】
このバックシート部１５の材料としては、液不透過性のフィルが用いられる。具体的には、ポリエチレンフィルム、ポリプロピレンフィルム等、吸収性物品用の防漏シートとして従来より使用されている熱可塑性樹脂製の液不透過性フィルムが用いられる。好ましくは、炭酸カルシウム、酸化チタン等からなる無機微粒子を上記の熱可塑性樹脂に配合して延伸、成形することで得られる蒸気透過性（透湿性）フィルムを用いる。
【００３７】
１対の第１液不透過性領域２ａ、２ｂそれぞれの幅方向ＤＷにおける外側縁部が、少なくとも股下部においてバックシート部１５上に直接、または接着材を介して帯状に接合されて、第１液透過性領域１側に張り出した第１防漏壁２Ａ、２Ｂを形成している。各第１防漏壁２Ａ、２Ｂは、第１液透過性領域１の下方に分布している吸収体２０Ａにおける幅方向側縁部の上面を局所的に覆い得る形状を有している。
【００３８】
第２液不透過性領域３ａを有するサイドシート３Ａが、バックシート部１５における幅方向ＤＷの一方の側縁部に、接合されて、第２防漏壁を形成している（以下、サイドシート３Ａを「第２防漏壁３Ａ」ということがある。）。同様に、第２液不透過性領域３ｂを有すサイドシート３Ｂが、バックシート部１５における幅方向ＤＷの他方の側縁部に、接合されて、第２防漏壁を形成している（以下、サイドシート３Ｂを「第２防漏壁３Ｂ」ということがある。）。
【００３９】
第２液不透過領域３ａまたは３ｂを有するサイドシート３Ａ、３Ｂがバックシート部１５から延出しているので、第２防漏壁３Ａ、３Ｂの各々は、第２液透過性領域４ａ、４ｂの下方に分布している吸収体２０Ｂ、２０Ｃにおける幅方向外側縁部の上面を局所的に覆い得る形状を有している。
【００４０】
なお、図１（Ｂ）においては、トップシート部１０中の各液透過性領域を、便宜上、破線で示している。
【００４１】
上述した構造を有する吸収構造体３０Ａは、第１液透過性領域１が使用者の股間に当たり、第２液透過性領域４ａ、４ｂが使用者の大腿部内側に当たるようにして使用することが好ましい。
【００４２】
この吸収構造体３０Ａは、上記の第１防漏壁２Ａ、２Ｂを有していることから、これらの第１防漏壁２Ａ、２Ｂによって、第１液透過性領域１下の吸収体２０Ａから第２液透過性領域４ａ下の吸収体２０Ｂへの排泄物の流下ないし滲出、および、第１液透過性領域１下の吸収体２０Ａから第２液透過性領域４ｂ下の吸収体２０Ｃへの排泄物の流下ないし滲出を抑制することができる。
【００４３】
このため、吸収体２０Ａにおける幅方向ＤＷの一方の縁部のみが排泄物によって飽和状態に達したとしても、その後に排出される排泄物は直ちに吸収体２０Ｂまたは吸収体２０Ｃへ流下ないし滲出するのではなく、第１防漏壁２Ａまたは２Ｂによって一旦せき止められ、その間に長手方向ＤＬへ浸透する。
【００４４】
同様に、第２防漏壁２Ａ、２Ｂによって、吸収体２０Ｂから吸収構造体３０外への排泄物の漏出、および、吸収体２０Ｃから吸収構造体３０外への排泄物の漏出を抑制することができる。
【００４５】
このため、吸収体２０Ｂまたは吸収体２０Ｃにおける幅方向ＤＷの外側縁部のみが排泄物によって飽和状態に達したとしても、その後に排出される排泄物は直ちに吸収構造体３０Ａ外へ漏出するのではなく、第２防漏壁３Ａまたは３Ｂによって一旦せき止められ、その間に長手方向ＤＬへ浸透する。
【００４６】
これらの結果として、吸収体２０Ａ、２０Ｂ、２０Ｃによる吸収効率が向上し、たとえ使用者が横向き寝をしている場合であっても、股漏れが起き難くなる。
【００４７】
横寝向きでの股漏れをできるだけ抑制するうえからは、少なくとも股下部３０における第１防漏壁２Ａ、２Ｂそれぞれの第１液透過性領域１側への張り出し長Ｌ１（図１（ｂ）参照）を、吸収構造体３０Ａが想定している介護状態や着用者の活動レベル、あるいは適用体重等に応じて概ね３〜５０ｍｍの範囲内で適宜選定することが好ましい。
【００４８】
この張り出し長Ｌ１があまりに大きくなると、吸収体２０Ａへ浸透することができる排泄物の量が低下して、吸収体２０Ａの吸収効率が低下すると共に、第１液不透過性領域２ａ、２ｂ上を流下する排泄物の量が増加し、横寝向きでの股漏れが起こり易くなる。また、第１液不透過性領域２ａ、２ｂ上を流下する排泄物が肌に直接触れることによって、肌がかぶれる等のトラブルが生じ易くなる。少なくとも股下部３０における上記の張り出し長Ｌ１は、吸収構造体３０Ａが想定している介護状態や着用者の活動レベル、あるいは適用体重等に応じて、概ね５〜３０ｍｍの範囲内で適宜選定することが更に好ましい。
【００４９】
また、第２防漏壁３Ａ、３Ｂそれぞれの第２液透過性領域４ａ側または第２液透過性領域４ｂ側への張り出し長Ｌ２（図１（Ｂ）参照）は、横寝向きでの股漏れをできるだけ抑制するうえから、少なくとも股下部３０においては、概ね５０％を超えて吸収体２０Ｂまたは吸収体２０Ｂを被覆しないように選定することが好ましい。
【００５０】
この張り出し長Ｌ２があまりに大きくなると、第１防漏壁２Ａ、２Ｂの張り出し長Ｌ１が大き過ぎる場合と同様の理由から、横寝向きでの股漏れが起こり易くなったり、肌がかぶれる等のトラブルが生じ易くなったりする。第２防漏壁３Ａ、３Ｂの上記張り出し長Ｌ２は、吸収構造体３０Ａが想定している介護状態や着用者の活動レベル、あるいは適用体重等に応じて、概ね５〜３０ｍｍの範囲内で適宜選定することが好ましく、概ね５〜１５ｍｍの範囲内で適宜選定することが更に好ましい。
【００５１】
＜第２実施形態＞
図２（Ａ）は、第２実施形態の吸収構造体３０Ｂをトップシート部側から見たときの概略平面図であり、図２（Ｂ）は、図２（Ａ）に示したＩＩ−ＩＩ線に沿った断面の概略図である。
【００５２】
これらの図に示した領域または構成部材と機能上同じ領域または構成部材が全て図１（Ａ）または図１（Ｂ）に示されているので、図１（Ａ）または図１（Ｂ）に示した領域または構成部材と機能上同じ領域または構成部材については、図１（Ａ）または図１（Ｂ）で用いた参照符号と同じ参照符号を付して、その説明を省略する。
【００５３】
この吸収構造体３０Ｂは、図２（Ａ）に示されているように、少なくとも股下部３０において、第１液不透過性領域２ａ、２ｂが第１中間領域２２ａ内または第１中間領域２２ｂ内に平面視上含まれているという点、および第１液不透過性領域２ａ、２ｂの幅が若干狭くなっているという点で、第１実施形態の吸収構造体３０Ａと異なる。
【００５４】
吸収構造体３０Ｂの他の構成は、第１実施形態の吸収構造体３０Ａの構成と同様であるので、当該吸収構造体３０Ｂは、吸収構造体３０Ａと同様の効果を奏する。
【００５５】
また、吸収構造体３０Ｂでは、第１液不透過性領域２ａ、２ｂが上述のように配置されているので、図２（Ｂ）に示すように、少なくとも股下部３０においては、第１防漏壁２Ａ、２Ｂと吸収体２０Ａとの間隔が、上述の吸収構造体３０Ａでの間隔よりも広い。このため、第１防漏壁２Ａまたは第１防漏壁２Ｂによって一旦せき止められた排泄物が、吸収構造体３０Ａに比べて長手方向ＤＬに浸透し易い。
【００５６】
その結果として、吸収構造体３０Ｂでは吸収体２０Ａの吸収効率が向上し、横寝向きでの股漏れが更に抑制される。
【００５７】
＜第３実施形態＞
図３（Ａ）は、第３実施形態の吸収構造体３０Ｃをトップシート部側から見たときの概略平面図であり、図３（Ｂ）は、図３（Ａ）に示したＩＩＩ−ＩＩＩ線に沿った断面の概略図である。
【００５８】
これらの図に示した領域または構成部材と機能上同じ領域または構成部材が全て図１（Ａ）または図１（Ｂ）に示されているので、図１（Ａ）または図１（Ｂ）に示した領域または構成部材と機能上同じ領域または構成部材については、図１（Ａ）または図１（Ｂ）で用いた参照符号と同じ参照符号を付して、その説明を省略する。
【００５９】
この吸収構造体３０Ｃは、図３（Ａ）に示されているように、第１中間領域２２ａ、２２ｂが当該吸収構造体３０Ｃの長手方向の一端から他端に達している点で、第１実施形態の吸収構造体３０Ａと異なる。
【００６０】
吸収構造体３０Ｃの他の構成は、第１実施形態の吸収構造体３０Ａの構成と同様であるので、当該吸収構造体３０Ｃは、吸収構造体３０Ａと同様の効果を奏する。
【００６１】
また、吸収構造体３０Ｃでは、第１中間領域２２ａ、２２ｂが上述のように形成されているので、第２液透過性領域４ａ、４ｂをバックシート部１５側に屈曲させやすい。このため、当該吸収構造体３０Ｃは、特に、第２液透過性領域４ａ、４ｂを使用者の大腿部に当て、第１液透過性領域１を使用者の股間に当てて使用するタイプの吸収構造体として好適である。
【００６２】
＜第４実施形態＞
図４（Ａ）は、第４実施形態の吸収構造体３０Ｄをトップシート部側から見たときの概略平面図であり、図４（Ｂ）は、図４（Ａ）に示したＩＶ−ＩＶ線に沿った断面の概略図である。
【００６３】
これらの図に示した領域または構成部材と機能上同じ領域または構成部材が全て図１（Ａ）または図１（Ｂ）に示されているので、図１（Ａ）または図１（Ｂ）に示した領域または構成部材と機能上同じ領域または構成部材については、図１（Ａ）または図１（Ｂ）で用いた参照符号と同じ参照符号を付して、その説明を省略する。
【００６４】
この吸収構造体３０Ｄは、図示のように、（１）第１中間領域２２ａ、２２ｂが当該吸収構造体３０Ｄの長手方向ＤＬの一端から他端に達している点、（２）第１中間領域２２ａ、２２ｂが、少なくとも股下部３０において、第１液透過性領域１側へ平面視上突出している点、および（３）少なくとも股下部３０において、第１液不透過性領域２ａ、２ｂが第１中間領域２２ａ内または第１中間領域２２ｂ内に平面視上含まれているという点で、第１実施形態の吸収構造体３０Ａと異なる。
【００６５】
吸収構造体３０Ｄの他の構成は、第１実施形態の吸収構造体３０Ａの構成と同様であるので、当該吸収構造体３０Ｄは、吸収構造体３０Ａと同様の効果を奏する。
【００６６】
また、吸収構造体３０Ｄは、第２実施形態の吸収構造体３０Ｂの特徴、および第３実施形態の吸収構造体３０Ｃの特徴も有しているので、これらの吸収構造体３０Ｂ、３０Ｃと同様の効果も奏する。
【００６７】
＜第５実施形態＞
図５は、第５実施形態の吸収構造体３０Ｅの概略断面図であり、当該吸収構造体３０Ｅを図１（Ａ）に示したＩ−Ｉ線に相当する箇所で切ったときの概略図である。
【００６８】
同図に示した領域または構成部材と機能上同じ領域または構成部材が全て図１（Ａ）または図１（Ｂ）に示されているので、図１（Ａ）または図１（Ｂ）に示した領域または構成部材と機能上同じ領域または構成部材については、図１（Ａ）または図１（Ｂ）で用いた参照符号と同じ参照符号を付して、その説明を省略する。
【００６９】
この吸収構造体３０Ｅでは、図示のように、第１液不透過性領域２ａ、２ｂにおけるバックシート部１５側の端部が、第１中間領域２２ａまたは第１中間領域２２ｂと平面視上重なる領域において吸収体２０Ａ側に張り出している。
【００７０】
吸収構造体３０Ｅの他の構成は、第１実施形態の吸収構造体３０Ａの構成と同様であるので、当該吸収構造体３０Ｅは、吸収構造体３０Ａと同様の効果を奏する。
【００７１】
＜第６実施形態＞
図６は、第６実施形態の吸収構造体３０Ｆの概略断面図であり、当該吸収構造体３０Ｆを図１（Ａ）に示したＩ−Ｉ線に相当する箇所で切ったときの概略図である。
【００７２】
同図に示した領域または構成部材と機能上同じ領域または構成部材が全て図１（Ａ）または図１（Ｂ）に示されているので、図１（Ａ）または図１（Ｂ）に示した領域または構成部材と機能上同じ領域または構成部材については、図１（Ａ）または図１（Ｂ）で用いた参照符号と同じ参照符号を付して、その説明を省略する。
【００７３】
この吸収構造体３０Ｆでは、図示のように、トップシート部１０が３つのシート材、すなわち、第１液透過性領域１用のシート材、第１液不透過性領域２ａからサイドシート３Ａまでの領域を有するシート材、および、第１液不透過性領域２ｂからサイドシート３Ｂまでの領域を有するシート材によって形成されている。
【００７４】
例えば、１つの親水性シート材の所定箇所に疎水処理を施して液不透過性領域を形成することによって、あるいは、１つの疎水性シート材の所定箇所に親水処理を施して液透過性領域を形成することによって、１つのシート材に、液透過性領域と液不透過性領域とを形成することができる。
【００７５】
吸収構造体３０Ｆの他の構成は、第１実施形態の吸収構造体３０Ａの構成と同様であるので、当該吸収構造体３０Ｆは、吸収構造体３０Ａと同様の効果を奏する。
【００７６】
また、吸収構造体３０Ｆは、吸収構造体３０Ａに比べて、トップシート部１０中に液透過性領域と液不透過性領域との接合箇所が少ないので、生産性の向上や、原料およびコストの削減が容易である。
【００７７】
さらに、第２液透過性領域４ａ、４ｂを使用者の大腿部内側に当てて吸収構造体３０Ｆを使用する場合には、第２液透過性領域４ａ、４ｂと第２液不透過性領域３ａ、３ｂとの間に接合部がないので、これらの領域を別体で構成した場合に比べて当該領域の剛性が低下し、その分、使用者が大腿部を動かしたときに生じる違和感を低減させることが可能になる。
【００７８】
＜第７実施形態＞
図７は、第７実施形態の吸収構造体３０Ｇの概略断面図であり、当該吸収構造体３０Ｇを図１（Ａ）に示したＩ−Ｉ線に相当する箇所で切ったときの概略図である。
【００７９】
同図に示した領域または構成部材と機能上同じ領域または構成部材が全て図１（Ａ）または図１（Ｂ）に示されているので、図１（Ａ）または図１（Ｂ）に示した領域または構成部材と機能上同じ領域または構成部材については、図１（Ａ）または図１（Ｂ）で用いた参照符号と同じ参照符号を付して、その説明を省略する。
【００８０】
この吸収構造体３０Ｇにおいても、上記第６実施形態の吸収構造体３０Ｆと同様に、トップシート部１０が３つのシート材によって形成されている。当該吸収構造体３０Ｇは、１つの疎水性シート材の所定箇所に多数の穿孔を設けることによって第２液透過性領域４ａ、４ｂを形成している点、および、第１１液不透過性領域２ａ、２ｂそれぞれにおける幅方向中央部がバックシート部１上に帯状に接合されて第１防漏壁２Ａ、２Ｂが形成されている点で、第６実施形態の吸収構造体３０Ｆと異なる。他の構成は、第６実施形態の吸収構造体３０Ｆの構成と同様である。
【００８１】
この吸収構造体３０Ｇは、前述した第６実施形態の吸収構造体３０Ｆと同様の効果を奏する。
【００８２】
＜第８実施形態＞
図８は、第８実施形態の吸収構造体３０Ｈの概略断面図であり、当該吸収構造体３０Ｈを図１（Ａ）に示したＩ−Ｉ線に相当する箇所で切ったときの概略図である。
【００８３】
同図に示した領域または構成部材と機能上同じ領域または構成部材が全て図１（Ａ）または図１（Ｂ）に示されているので、図１（Ａ）または図１（Ｂ）に示した領域または構成部材と機能上同じ領域または構成部材については、図１（Ａ）または図１（Ｂ）で用いた参照符号と同じ参照符号を付して、その説明を省略する。
【００８４】
この吸収構造体３０Ｈでは、図示のように、バックシート部１５以外の領域が１つのシート材に形成されている。例えば、１つの親水性シート材の所定箇所に疎水処理を施して液不透過性領域を形成することによって、あるいは、１つの疎水性シート材の所定箇所に親水処理または穿孔を施して液透過性領域を形成することによって、１つのシート材にバックシート部１５以外の領域を形成することができる。
【００８５】
吸収構造体３０Ｈの他の構成は、第１実施形態の吸収構造体３０Ａの構成と同様であるので、当該吸収構造体３０Ｈは、吸収構造体３０Ａと同様の効果を奏する。
【００８６】
また、吸収構造体３０Ｈは、トップシート部１０中に液透過性領域と液不透過性領域との接合箇所がないので、第６実施形態の吸収構造体３０Ｆまたは第７実施形態の吸収構造体３０Ｇに比べても、生産性の向上や、原料およびコストの削減が容易であると共に、トップシート部１０全体を容易に柔軟にすることができる。第２液透過性領域４ａ、４ｂを使用者の大腿部内側に当てて当該吸収構造体３０Ｈを使用する場合には、第６実施形態の吸収構造体３０Ｆまたは第７実施形態の吸収構造体３０Ｇに比べても、使用者が大腿部を動かしたときに生じる違和感を低減させることが可能である。
【００８７】
＜第９実施形態＞
図９は、第９実施形態の吸収構造体３０Ｉの概略断面図であり、当該吸収構造体３０Ｉを図１（Ａ）に示したＩ−Ｉ線に相当する箇所で切ったときの概略図である。
【００８８】
同図に示した領域または構成部材のうちで図１（Ａ）または図１（Ｂ）に示されている領域または構成部材と機能上共通するものについては、図１（Ａ）または図１（Ｂ）で用いた参照符号と同じ参照符号を付して、その説明を省略する。
【００８９】
この吸収構造体３０Ｉでは、少なくとも股下部において、吸収体２０Ａが図示のように４つの吸収体２０Ａ１、２０Ａ２、２０Ａ３、２０Ａ４に区分されている。これらの吸収体２０Ａ１〜２０Ａ４は、吸収構造体３０Ｉの長手方向と略平行な方向に延在している。
【００９０】
また、第２液不透過性領域３ａと第１液不透過性領域２ａとの間に、幅方向ＤＷの外側から内側にかけて、第２液透過性領域４ａ、第２中間領域２３ａ、第３液不透過性領域５ａ、第３液透過性領域６ａ、および第１中間領域２２ａが、この順番で配置されている。同様に、第２液不透過性領域３ｂと第１液不透過性領域２ｂとの間に、幅方向ＤＷの外側から内側にかけて、第２液透過性領域４ｂ、第２中間領域２３ｂ、第３液不透過性領域５ｂ、第３液透過性領域６ｂ、および第１中間領域２２ｂが、この順番で配置されている。
【００９１】
第３液不透過性領域５ａ、５ｂは、第２液不透過性領域２ａ、２ｂと同様の形状および構成を有し、第３液透過性領域６ａ、６ｂは、第２液不透過性領域４ａ、４ｂと同様の形状および構成を有している。また、第２中間領域２３ａ、２３ｂは、少なくとも股下部を平面視上横切って、吸収構造体３０Ｉの長手方向に略平行な方向に延在している。
【００９２】
第３液透過性領域６ａの下方に吸収体２０Ｄが配置され、第３液不透過性領域５ａが当該吸収体２０Ｄに対する第３防漏壁５Ａとして機能している。また、第３液透過性領域６ｂの下方に吸収体２０Ｅが配置され、第３液不透過性領域５ｂが当該吸収体２０Ｅに対する第３防漏壁５Ｂとして機能している。
【００９３】
上述の構成を有する吸収構造体３０Ｉは、第１実施形態の吸収構造体３０Ａと同様の効果を奏する。
【００９４】
また、この吸収構造体３０Ｉは、特に、第１液透過性領域１を使用者の股間に当て、第２液透過性領域４ａ、４ｂおよび第３液透過性領域６ａ、６ｂを使用者の大腿部に当てて使用するのに適している。
【００９５】
吸収体２０Ａが上述のように４つの吸収体２０Ａ１〜２０Ａ４に区分されていること、および、第１中間領域２２ａ、２２ｂの幅方向外側に第２液透過性領域４ａ、４ｂおよび第３液透過性領域６ａ、６ｂが形成されていることから、使用者の体勢や体形に追従して変形させることが容易であり、各液透過性領域１、４ａ、４ｂ、６ａ、６ｃを容易に肌に密着させることができる。このように変形させた場合でも、排泄物を吸収構造体３０Ｉの長手方向に比較的容易に浸透させることができる。
【００９６】
＜第１０実施形態＞
図１０は、第１０実施形態の吸収構造体３０Ｊの概略断面図であり、当該吸収構造体３０Ｊを図１（Ａ）に示したＩ−Ｉ線に相当する箇所で切ったときの概略図である。
【００９７】
同図に示した領域または構成部材のうちで図１（Ａ）または図１（Ｂ）に示されている領域または構成部材と機能上共通するものについては、図１（Ａ）または図１（Ｂ）で用いた参照符号と同じ参照符号を付して、その説明を省略する。
【００９８】
この吸収構造体３０Ｊでは、トップシート部１０上に、１対の立体ガード１７Ａ、１７Ｂと、他の１対の立体ガード１８Ａ、１８Ｂとが固着されている。
【００９９】
本明細書でいう「立体ガード」とは、排泄物の透過を抑制することができる液不透過性ないし撥水性のシートを利用して、吸収体に対して高さを有するように立ち上げられて形成され、その立ち上がっている部分で排泄物の移動を阻止する役割を担うものを意味する。
【０１００】
第１立体ガード１７Ａ、１７Ｂは、平面視上、第１液透過性領域１の幅方向外側に配置され、少なくとも股下部において、吸収構造体３０Ｊの長手方向と略平行な方向に延在している。
【０１０１】
第２立体ガード１８Ａ、１８Ｂは、第２液不透過性領域３ａ、３ｂ上に配置され、少なくとも股下部において、吸収構造体３０Ｊの長手方向と略平行な方向に延在している。図中の参照符号１８ａは、立体ガード１８Ａを構成している弾性部材を示しており、参照符号１８ｂは、立体ガード１８Ｂを構成している弾性部材を示している。
【０１０２】
これら第１および第２立体ガード１７Ａ、１７Ｂ、１８Ａ、１８Ｂは、例えば、液不透過性ないし撥水性の不織布を矩形状に成形して得た立体ガード用シートの１つの長辺に沿って糸状ないし帯状の弾性部材１７ａ、１７ｂ、１８ａ、または１８ｂを伸張状態で固着させ、その後、当該立体ガード用シートの他の三辺を所望箇所に固着することによって得ることができる。
【０１０３】
吸収構造体３０Ｊは、上述した２対の立体ガード１７Ａ、１７Ｂ、１８Ａ、１８Ｂを有している以外は第１実施形態の吸収構造体３０Ａと同様の構成を有するので、吸収構造体３０Ａと同様の効果を奏する。
【０１０４】
また、２対の立体ガード１７Ａ、１７Ｂ、１８Ａ、１８Ｂを有していることから、吸収構造体３０Ａに比べて、横寝向きでの股漏れが更に起こり難い。
【０１０５】
さらに、第２液透過性領域４ａ、４ｂが使用者の大腿部に当たるようにして吸収構造体３０Ｊを使用する場合には、立体ガード１８Ａ、１８Ｂによって、当該吸収構造体３０Ｊのずり落ちを抑制することが可能である。
【０１０６】
＜第１１実施形態＞
図１１（Ａ）は、第１１実施形態の吸収構造体３０Ｋを長手方向ＤＬおよび幅方向ＤＷに伸張させてバックシート部側から見たときの概略平面図であり、図１１（Ｂ）は、図１１（Ａ）に示したＸＩ−ＸＩ線に沿った断面の概略図である。
【０１０７】
これらの同図に示した領域または構成部材のうちで図１（Ａ）または図１（Ｂ）に示されている領域または構成部材と機能上共通するものについては、図１（Ａ）または図１（Ｂ）で用いた参照符号と同じ参照符号を付して、その説明を省略する。
【０１０８】
この吸収構造体３０Ｋは、バックシート部１５の内側表面上に４本の弾性部材２５を有している共に、サイドシート３Ａ、３Ｂの内側側面上にそれぞれ１本ずつ弾性部材２７を有している点で、第１実施形態の吸収体３０Ａと異なる。なお、図１１（Ａ）においては、便宜上、弾性部材２７の図示を省略している。
【０１０９】
４本の弾性部材２５のうちの２本は、平面視上したときに吸収体２０Ｂ上に位置し、長手方向ＤＬと略平行な方向に延在する。また、４本の弾性部材２５のうちの残りの２本は、平面視上したときに吸収体２０Ｃ上に位置し、長手方向ＤＬと略平行な方向に延在する。
【０１１０】
２本の弾性部材２７のうちの一方は、第２防漏壁３Ａの内側側面に固定されて、長手方向ＤＬと略平行な方向に延在し、他方の弾性部材２７は、第２防漏壁３Ｂの内側側面に固定されて、長手方向ＤＬと略平行な方向に延在している。
【０１１１】
これらの弾性部材２５、２７それぞれの両端は、吸収構造体３０Ｋの長手方向ＤＬにおける位置で比較すると、中間領域２２ａ、２２ｂの両端の位置と同じ辺りか、または中間領域２２ａ、２２ｂの両端の位置よりも外側にある。
【０１１２】
弾性部材２５は、緊張状態に保持されたバックシート部１５および吸収体１０に伸張状態の下に固定され、弾性部材２７は、緊張状態に保持されたサイドシート３Ａまたは３Ｂに外周を覆われた状態で伸張状態の下に固着されたものであり、いずれの弾性部材２５、２７も、自然状態下では弛緩している。したがって、自然状態の吸収構造体３０Ｋの幅方向側縁部には、弾性部材２５、２７によって、ギャザーが形成されている。
【０１１３】
このような構成を有する吸収構造体３０Ｋは、第１液透過性領域１が使用者の股間に当たり、第２液透過性領域４ａ、４ｂが使用者の大腿部に当たるようにして使用するのに適した吸収構造体である。このように使用した場合、中間領域２２ａ、２２ｂよりも幅方向外側の領域が弾性部材２５、２７によって下方（バックシート部１５側）に屈曲し易くなっていることから、第２液透過性領域４ａ、４ｂを大腿部に密着させ易い。また、大腿部への第２液透過性領域４ａ、４ｂの密着性が向上することから、横寝向きでの股漏れの発生が更に抑制される。
【０１１４】
なお、弾性部材２５の各々は、平面視したときに第１中間領域２２ａ、２２ｂと重なる領域に配置することもできるし、平面視したときに第１中間領域２２ａ、２２ｂから吸収体２０Ｂまたは吸収体２０Ｃに亘る領域に配置することもできる。大腿部への第２液透過性領域４ａ、４ｂの密着性を向上させるという観点からは、少なくとも股下部３０においては、平面視したときに吸収体２０Ｂ、２０Ｃと重なる領域に弾性部材２５を配置することが好ましい。
【０１１５】
平面視上の配設位置に拘わらず、弾性部材２５の各々は、バックシート部１５の外側表面、トップシート部１０の内側表面、またはトップシート部１０の外側表面に固定することもできる。同様に、弾性部材２７は、サイドシート３Ａ、３Ｂの外側表面に固定することもできる。
【０１１６】
本実施形態の吸収構造体３０Ｋは、第１実施形態の吸収構造体３０Ａに上述の弾性部材２５、２７を配したものであるが、弾性部材２５、２７は、第２〜第１０実施形態の吸収構造体３０Ｂ〜３０Ｊに配することもできる。第９実施形態の吸収構造体３０Ｉ（図９参照）に弾性部材２５を配する場合には、平面視したときに吸収体２０Ｂ、２０Ｃに重なる領域、および、吸収体２０Ｄ、２０Ｅに重なる領域に当該弾性部材２５を配置することが好ましい。
２．おむつに係る実施形態
＜第１実施形態＞
図１２は、第１実施形態のおむつ７０を概略的に示す斜視図である。図示のおむつ７０はパンツ型おむつ（以下、「パンツ型おむつ７０」という。）であり、着用者の腹側に配される腹側部５１、背側に配される背側部５２、これら腹側部５１と背側部５２との間に位置する股部５３、および着用者の鼠けい部よりも大腿部側に延出して大腿部周りに配される左右一対のレッグ部５６Ａ、５６Ｂの各領域に分けることができる。
【０１１７】
腹側部５１と背側部５２との両側縁部が互いに接合されてサイドシール部５４Ａ、５４Ｂを形成し、これによって、ウエスト開口部５５および一対のレッグ開口部５６ａ、５６ｂが形成されている。
【０１１８】
ウエスト開口部５５の下方には、腰回り全周に亘って、ウエスト開口部５５の幅を可逆的に変化させることができる複数の腰部弾性部材５７ａを備えたウエストギャザー５７が形成されており、ウエストギャザー５７の下方には、胴回り全周に亘って、複数の胴部弾性部材５８ａ、５８ｂを備えた胴回りギャザー５８が形成されている。
【０１１９】
また、レッグ開口部５６ａには、全周に亘ってレッグギャザー５９Ａが形成されており、レッグ開口部５６ｂには、全周に亘ってレッグギャザー５９Ｂが形成されている。レッグギャザー５９Ａは、レッグ開口部５６ａの近傍に第１脚部弾性部材５９ａを配することによって形成されており、レッグギャザー５９Ｂは、レッグ開口部５６ｂの近傍に第２脚部弾性部材５９ｂを配することによって形成されている。
【０１２０】
最も外側の第１脚部弾性体５９ａからレッグ開口部５６ａにかけての領域が上述したレッグ部５６Ａに相当し、最も外側の第２脚部弾性部材５９ｂからレッグ開口部５６ｂにかけての領域が上述したレッグ部５６Ｂに相当する。
【０１２１】
着用者の排泄物を吸収するために、パンツ型おむつ７０の内部には、腹側部５１から股部５３を経て背側部５２に達する吸収構造体３０Ｋが配置されている。
【０１２２】
この吸収構造体３０Ｋは、図１１を用いて既に説明した吸収構造体であり、当該吸収構造体３０Ｋは、レッグ部５６Ａ、５６Ｂに懸かる領域３０ａ、３０ｂを有している。図１２においては、便宜上、各領域３０ａ、３０ｂにスマッジングを付してある。
【０１２３】
吸収構造体３０Ｋにおける股幅方向ＤＣの側縁部には、横寝向きでの股漏れを防止するために、図１０を用いて既に説明した１対の立体ガード１７Ａ、１７Ｂ（図１２においては立体ガード１７Ｂのみが見えている。）が設けられている。
【０１２４】
図１３は、パンツ型おむつ７０のサイドシール部５４Ａ、５４Ｂをそれぞれ剥離して緊張状態（後述する各弾性部材を伸張させた状態）の下に展開したものを概略的に示す平面図であり、着用時に外表面となる側から見たときのものである。
【０１２５】
図示のように、パンツ型おむつ７０における外層シート６０は、長方形の両長辺の中央部にレッグ開口部５６ａ、５６ｂ（図１２参照）形成用の湾入部が形成された形状を呈する。この外層シート６０の裏面における中央部に、吸収構造体３０Ｋのバックシート部１５（図１１参照）が固着されている。
【０１２６】
吸収構造体３０Ｋは、上述のようにレッグ部５６Ａ（図１参照）に懸かる領域３０ａと、レッグ部５６Ｂ（図１参照）に懸かる領域３０ｂとを有しており、当該吸収構造体３０Ｋの長手方向ＤＬは、外層シート６０の長手方向と略一致している。なお、図１３においては、領域３０ａ、３０ｂを判り易くするために、これらの領域にスマッジングを付してある。
【０１２７】
ウエストギャザー５７（図１２参照）を形成するための腰部弾性体６１が、外層シート６０の長手方向の両端部にそれぞれ複数本ずつ固定され、胴回りギャザー５８を形成するための胴部弾性体が、腰部弾性体６１よりも外層シート６０の長手方向内側に複数本ずつ固定されている。
【０１２８】
腰部弾性体６１の各々は、外層シート６０を股幅方向ＤＣに横断している。これらの腰部弾性体６１がサイドシール部５４Ａ、５４Ｂ（図１２参照）で所定の腰部弾性体６１と接合されて、環状を呈する複数の腰部弾性部材５７ａが形成される。図１２に示した例では、３つの腰部弾性部材５７ａが形成されている。
【０１２９】
また、胴回りギャザー５８を形成するための胴部弾性体のうち、外側の複数本（以下、これらの胴部弾性体を「胴部弾性体６３ａ」という。）は、それぞれ、外層シート６０を股幅方向ＤＣに横断している。これらの胴部弾性体６３ａがサイドシール部５４Ａ、５４Ｂで所定の胴部弾性体６３ａと接合されて、環状を呈する複数の胴部弾性部材５８ａが形成される。図１２に示した例では、４つの腰部弾性部材５８ａが形成されている。
【０１３０】
胴回りギャザー５８を形成するために胴部弾性体５３ａよりも内側に固定される胴部弾性体（以下、「胴部弾性体６３ｂ」という。）は、吸収構造体３０Ｋと平面視上重なる領域を有し、この領域の中央部において寸断されている。図１３では、胴部弾性体６３ｂにおいて吸収構造体１０と平面視上重なる領域のうち、寸断されている箇所については図示を省略している。
【０１３１】
これらの胴部弾性体６３ｂがサイドシール部５４Ａ、５４Ｂで所定の胴部弾性体６３ｂと接合されて、円弧状を呈する複数の胴部弾性部材５８ｂが形成される。図１２に示した例では、８つの胴部弾性部材５８ｂが形成されている。
【０１３２】
なお、胴部弾性体６３ｂに代えて、胴部弾性体６３ａと同様の形状を有する弾性体を用いることもできる。
【０１３３】
レッグ開口部５６ａ、５６ｂ（図１２参照）を形成するために外層シート６０に設けられた２つの湾入部それぞれの近傍には、当該湾入部に略沿うようにして、レッグギャザー５９Ａ、５９Ｂを形成するための脚部弾性体６５が複数本ずつ固定されている。
【０１３４】
個々の脚部弾性体６５は、腹側部５１から股部５３にかけて配された第１脚部弾性体６５ａと、背側部５２から股部５３にかけて配された第２脚部弾性体６５ｂとが、股部５３において互いに接合されたものである。
【０１３５】
レッグギャザー５９Ａを形成するための脚部弾性体６５それぞれの一端が、サイドシール部５４Ａにおいて自己の他端に接合されて、略環状を呈する複数の第１脚部弾性部材５９ａが形成される。レッグギャザー５９Ｂを形成するための脚部弾性体６５それぞれの一端が、サイドシール部５４Ｂにおいて自己の他端に接合されて、略環状を呈する複数の第２脚部弾性部材５９ｂが形成される。図１２に示した例では、レッグ部５６Ａ、５６Ｂと腹側部５１、背側部５２、股部５３との境界付近に、第１脚部弾性部材５９ａまたは第２脚部弾性部材５９ｂが３つずつ形成されている。
【０１３６】
上述した脚部弾性体６５の各々は、吸収構造体３０Ｋを構成している弾性部材２５と交差し、各交差部において、当該弾性部材２５と接合されている。
【０１３７】
図１４は、図１３に示すＸＩＶ−ＸＩＶ線に沿った概略断面図であり、パンツ型おむつ７０における厚さ方向での各部材の配置を概略的に示す。
【０１３８】
吸収構造体３０Ｋの断面構造については既に説明したので、ここではその説明を省略する。
【０１３９】
図示の外層シート６０は、おむつの外形を定めるシートであり、１または複数のシート材によって形成される。図示の例では、第１シート２０ａと、その外側に配置されて当該第１シート２０ａと一体化された第２シート２０ｂとによって外層シート２０が構成されている。吸収構造体３０Ｋは、第１シート２０ａ上に固着されている。
【０１４０】
第１シート２０ａおよび第２シート２０ｂとしては、例えば通気性を有する不織布が用いられる。必要に応じて、外層シート２０の外側に更に別のシートを重ねることができる。
【０１４１】
脚部弾性体６５の各々は、第１シート６０ａと第２シート６０ｂとの間において、これらのシート６０ａ、６０ｂに固定されている。
【０１４２】
立体ガード１７Ａ、１７Ｂを形成するための弾性体１７ａ、１７ｂは、吸収構造体３０Ｋのトップシート部上に三方が固着された立体ガード用シート１７ｓの自由端（固定されていない辺）に固定されている。
【０１４３】
図１４では現れていないが、腰部弾性体６１および胴部弾性体６３ａ、６３ｂも、脚部弾性体６５と同様に、第１シート６０ａと第２シート６０ｂとの間おいて、これらのシート６０ａ、６０ｂに固定されている。
【０１４４】
上述した各弾性体および弾性部材としては、例えば糸ゴム、平ゴム、弾性フィルム等を用いることができる。これらの弾性体ないし弾性部材は、いずれも、当該弾性体ないし弾性部材を固定しようとするシートを緊張状態に保った状態で、当該シートの所定箇所に伸張状態の下に固定される。
【０１４５】
そのため、着用していないときのパンツ型おむつ７０においては、いずれの弾性体ないし弾性部材も、シートに固定した際に比べて弛緩状態にある。その結果として、図１２に示したウエストギャザー５７、胴回りギャザー５８、レッグギャザー５９Ａ、５９Ｂ、および立体ガード１７Ａ、１７Ｂが形成される。また、吸収構造体３０Ｋを構成している弾性部材２５、２７（図１１参照）によって、吸収構造体３０Ｋの股幅方向側縁部にギャザーが形成される。
【０１４６】
このような構成を有するパンツ型おむつ７０は、前述した吸収構造体３０Ｋを備えているので、横寝向きでの股漏れの発生を抑制することができる。
【０１４７】
さらに、着用時においては、第１脚部弾性部材５９ａ、５９ｂによって、前述した吸収体２０Ｂ、２０Ｃ（図１１参照）が分布している領域３０ａ、３０ｂ（図１３参照）の大腿部内側への密着性が高められるので、横寝向きでの股漏れの発生が更に抑制される。
【０１４８】
＜第２実施形態＞
図１５は、第２実施形態のおむつ９０を緊張状態に保持して、着用時に外表面となる側から見たときの様子を概略的に示す平面図であり、図１６は図１５に示したＸＶＩ−ＸＶＩ線断面の概略図である。
【０１４９】
これらの図に示したおむつ９０は展開型おむつであり、（１）外層シートを備えておらず、吸収構造体３０ｋを構成しているバックシート部１５とサイドシート３Ａ、３Ｂ（図１６参照）とによって外形が定められている点、（２）長手方向ＤＬの一方の端部に、オス材として機能する多数のフックを有するフック材８０が左右に２つずつ配置され、他方の端部に、フック材８０に対してメス材として機能する不織布８２が固定されている点、および、（３）レッグ部５６Ａ側の弾性部材２５の外側に２本の補助弾性部材８４が配され、レッグ部５６Ｂ側の弾性部材２５の外側にも２本の補助弾性部材８４が配されている点で、第１実施形態のパンツ型おむつ７０と大きく異なる。
【０１５０】
他の構成はパンツ型おむつ７０の構成と同様であるので、図１５〜図１６に示した構成部材のうちで図１２〜図１４に示した構成部材と機能上共通するものについては図１２〜図１４で用いた参照符号と同じ参照符号を付してその説明を省略する。
【０１５１】
なお、吸収体３０ｋは、上述のように吸収構造体３０ｋにおけるバックシート部１５とサイドシート３Ａ、３Ｂとによって外形が定められているので、バックシート部１５はパンツ型おむつ７０での大きさよりも大きく、図１６に示すように、サイドシート３Ａ、３Ｂの外側端部はバックシート部１５の縁部上に接合されている。
【０１５２】
本明細書においては、このようにしてバックシート部１５に固定されたサイドシート３Ａ、３Ｂに形成されている第２液不透過性領域３ａ、３ｂについても、「バックシート部から延出している」ものとする。
【０１５３】
吸収構造体３０ｋは、弾性部材２５が第１中間領域２２ａ、２２ｂの長手方向ＤＬの長さよりも短い点、および補助弾性部材８４がサイドシート３Ａ、３Ｂとバックシート部１５との間に固定されている点を共に除いて、図１１に示した第１１実施形態の吸収構造体３０Ｋと同様の構成を有している。
【０１５４】
補助弾性部材８４は、展開型おむつ９０の保形性を高め、吸収体側縁部から排泄物が溢れた場合でも当該排泄物のおむつ外への漏出を防止することを主目的として、配されている。
【０１５５】
このような構成を有する展開型おむつ９０においても、当該おむつ９０が第１１実施形態の吸収構造体３０Ｋと略同じ構成を有する吸収構造体３０ｋを備えているので、横寝向きでの股漏れの発生が抑制される。
【０１５６】
さらに、中間領域２２ａ、２２ｂよりも股幅方向外側の領域が着用者の大腿部に当てられて使用されるように吸収構造体３０ｋの股幅方向ＤＣの幅を選定すると、吸収体２０Ｂ、２０Ｃ（図１１参照）が分布している領域の大腿部内側への密着性が脚部弾性体６５および補助弾性部材８４によって高められて、横寝向きでの股漏れの発生が更に抑制される。
【０１５７】
以上、現時点において最も実践的であり、かつ、好ましいと思われる実施形態に関連して本発明を説明したが、本発明は、本願明細書中に開示された実施形態に限定されるものではなく、請求の範囲および明細書全体から読み取れる発明の要旨或いは思想に反しない範囲で適宜変更可能であり、そのような変更を伴う吸収構造体およびおむつもまた本発明の技術的範囲に包含されるものとして理解されなければならない。
【０１５８】
【発明の効果】
以上説明したように、本発明によれば、横寝向きでの股漏れが起き難い吸収構造体およびおむつが提供される。吸収構造体やおむつの使用者に高い安心感を与えることが可能になると共に、おむつ着用者の保護者や介護者の負担を軽減させることが可能になる。
【図面の簡単な説明】
【図１】図１（Ａ）は、第１実施形態の吸収構造体を概略的に示す平面図であり、図１（Ｂ）は、図１（Ａ）に示したＩ−Ｉ線断面の概略図である。
【図２】図２（Ａ）は、第２実施形態の吸収構造体を概略的に示す平面図であり、図２（Ｂ）は、図２（Ａ）に示したＩＩ−ＩＩ線断面の概略図である。
【図３】図３（Ａ）は、第３実施形態の吸収構造体を概略的に示す平面図であり、図３（Ｂ）は、図３（Ａ）に示したＩＩＩ−ＩＩＩ線断面の概略図である。
【図４】図４（Ａ）は、第４実施形態の吸収構造体を概略的に示す平面図であり、図４（Ｂ）は、図４（Ａ）に示したＩＶ−ＩＶ線断面の概略図である。
【図５】第５実施形態の吸収構造体を概略的に示す断面図である。
【図６】第６実施形態の吸収構造体を概略的に示す断面図である。
【図７】第７実施形態の吸収構造体を概略的に示す断面図である。
【図８】第８実施形態の吸収構造体を概略的に示す断面図である。
【図９】第９実施形態の吸収構造体を概略的に示す断面図である。
【図１０】第１０実施形態の吸収構造体を概略的に示す断面図である。
【図１１】図１１（Ａ）は、第１１実施形態の吸収構造体を概略的に示す平面図であり、図１１（Ｂ）は、図１１（Ａ）に示したＸＩ−ＸＩ線断面の概略図である。
【図１２】第１実施形態のおむつ概略的に示す斜視図である。
【図１３】図１２に示したパンツ型おむつのサイドシール部を剥離して緊張状態の下に展開したものを、着用時に外表面となる側から見たときの様子を概略的に示す平面図である。
【図１４】図１３に示したＸＩＶ−ＸＩＶ線断面の概略図である。
【図１５】第２実施形態のおむつ概略的に示す斜視図である。
【図１６】図１５に示したＸＶＩ−ＸＶＩ線断面の概略図である。
【符号の説明】
１　第１液透過性領域
２ａ、２ｂ　第１液不透過性領域
２Ａ、２Ｂ　第１防漏壁
３ａ、３ｂ　第２液不透過性領域
３Ａ、３Ｂ　第２防漏壁（サイドシート）
４ａ、４ｂ　第２液透過性領域
１０　トップシート部
１５　バックシート部
２０　吸収体
２５　弾性部材
３０Ａ〜３０Ｋ、３０ｋ　吸収構造体
７０　パンツ型おむつ
９０　展開型おむつ
【図１】
2004049764.tif 000003
【図２】
2004049764.tif 000004
【図３】
2004049764.tif 000005
【図４】
2004049764.tif 000006
【図５】
2004049764.tif 000007
【図６】
2004049764.tif 000008
【図７】
2004049764.tif 000009
【図８】
2004049764.tif 000010
【図９】
2004049764.tif 000011
【図１０】
2004049764.tif 000012
【図１１】
2004049764.tif 000013
【図１２】
2004049764.tif 000014
【図１３】
2004049764.tif 000015
【図１４】
2004049764.tif 000016
【図１５】
2004049764.tif 000017
【図１６】
2004049764.tif 000018